(57)【要約】【課題】照明光と読取光との光学系が同一である構成の場合でも、ミラーなどの光学部品に付着した塵埃などの異物を検知し、かつ当該検知に基づき異物に係る適当な処理を可能にして、常に高品位の読み取りを可能にする。【解決手段】画像読取装置の電源をＯＮしたとき、あるいは内部タイマによりあらかじめ設定された時刻になったとき（Ｓ１のＹＥＳ）、撮像素子を検知可能位置に移動させ、撮像素子によるフレア光検知動作を開始させる（Ｓ２）。撮像素子が、ミラーなどに存在する異物Ｇが原因するフレア光を検知した場合（Ｓ３のＹＥＳ）、駆動部にて警報ブザーを動作させ（Ｓ４）、異物が存在する旨の報知を行う。【選択図】図８
2007336240.tif 000002
【特許請求の範囲】
【請求項１】
光源から出射する光束を複数に分割するレンズを備え、該レンズにより分割された前記複数の光束を、ミラーにて偏向しかつ読取対象物上で重畳して該読取対象物を照明し、該読取対象物からの反射光を前記ミラーを経て撮像素子に入射させて前記読取対象物の画像情報を読み取る画像読取装置であって、
前記ミラー上の異物によって反射された光を前記撮像素子により検知し、該検知信号を受けた場合に処理信号を出力する制御部を備えたことを特徴とする画像読取装置。
【請求項２】
前記制御部により前記処理信号を警報ブザーへ出力し、警報させることを特徴とする請求項１記載の画像読取装置。
【請求項３】
前記制御部により前記処理信号を表示部へ出力し、異常を示す文字あるいはマークを表示させることを特徴とする請求項１記載の画像読取装置。
【請求項４】
前記制御部により前記処理信号を表示部へ出力し、修理を業者に依頼する旨のメッセージを表示させることを特徴とする請求項１記載の画像読取装置。
【請求項５】
前記制御部により前記処理信号を通知部へ出力し、あらかじめ設定された業者に通知することを特徴とする請求項１記載の画像読取装置。
【請求項６】
前記制御部により前記処理信号を駆動部へ出力し、機械の動作を停止させることを特徴とする請求項１記載の画像読取装置。
【請求項７】
前記制御部により前記処理信号をメモリ部へ出力し、検知情報を格納させることを特徴とする請求項１記載の画像読取装置。
【請求項８】
前記制御部により前記処理信号を電子メール処理部へ出力し、あらかじめ設定されたアドレスに警告メールを送信することを特徴とする請求項１記載の画像読取装置。
【請求項９】
あらかじめ設定された時刻に、前記撮像素子による異物検知を実行することを特徴とする請求項１〜８いずれか１項記載の画像読取装置。
【請求項１０】
装置に電源が投入されたときに、前記撮像素子による異物検知を実行することを特徴とする請求項１〜９いずれか１項記載の画像読取装置。
【請求項１１】
前記撮像素子が所定の画像を読み込んだとき、前記制御部において、前記画像データの中にあらかじめ設定された閾値以上のデータがあった場合に異物ありとして、前記処理信号を出力することを特徴とする請求項１記載の画像読取装置。
【請求項１２】
前記閾値を変更する設定部を備えたことを特徴とする請求項１１記載の画像読取装置。
【請求項１３】
原稿画像を読み取る画像読取部と、該画像読取部にて得られた画像情報に基づいて記録媒体に画像を形成する画像形成部とを具備した画像形成装置において、
前記画像読取部として請求項１〜１２いずれか１項記載の画像読取装置を搭載したことを特徴とする画像形成装置。
【発明の詳細な説明】
【技術分野】
【０００１】
本発明は、光源，レンズ，偏向ミラー，撮像素子などを備え、光学的に読取対象物の画像情報を読み取る画像読取装置、および画像読取装置を搭載する画像形成装置に関するものである。
【背景技術】
【０００２】
図１０は従来の画像読取装置全体の概略構成を示す斜視図、図１１は従来の画像読取装置の要部を示す正面図である。
【０００３】
図１０，図１１において、原稿Ｄは、コンタクトガラス１上に設置され、光源であるランプ２からの光、およびランプ２からの光を受けたリフレクタ３からの光が原稿Ｄの撮像領域４を照射し、原稿Ｄからの反射光が、第１走行体５内の偏向ミラー６、および第２走行体７内に対向設置された折返しミラー８ａと折返しミラー８ｂにて偏向され、結像レンズ９によって１次元撮像素子１０に集光し、１次元撮像素子１０により撮像領域４の原稿画像を１次元に取得する。
【０００４】
第１走行体５と第２走行体７は、モータ１１による駆動力が伝達手段１２を介して伝達され、第１走行体５が第２走行体７の２倍の速度で走行する。その結果、コンタクトガラス１においてライン状の撮像領域４と垂直方向に、結像レンズ９の結像位置が１次元撮像素子１０の受光面にある状態を保ちながら走行することとなり、コンタクトガラス１上にの原稿Ｄの画像を１次元撮像素子１０にて順次読み出し２次元に取得する。この第１走行体１０が走行する方向が副走査方向、１次元撮像素子１０の画像読取方向が主走査方向である。
【０００５】
通常、１次元撮像素子１０として１次元ＣＣＤ（電荷結合素子）が用いられ、結像レンズ９が原稿画像をコンタクトガラス１上に対して縮小して１次元撮像素子１０上に結像している。また、第１走行体５と第２走行体７の走行速度比は２：１に設定されているため、第２走行体７の走行距離は第１走行体５の移動距離の半分となり、また、撮像領域４から結像レンズ９および１次元撮像素子１０までの距離は第１走行体５と第２走行体７の位置によらず一定である。
【０００６】
図１０，図１１に示すような画像読取装置において、近年、高速に読み取りを行うことが要求されてきており、これに対応するために走行体の軽量化を図り、モータ駆動負荷を軽減することが考えられる。特許文献１には、光源を装置本体内に固定される撮像素子の上下側に配置し、撮像素子の結像光学系を共用しながら、偏向ミラーを用いて読取位置を照明するようにした構成の画像読取装置が記載されている。
【特許文献１】特開平１０−１９０９９０号公報
【発明の開示】
【発明が解決しようとする課題】
【０００７】
しかし、特許文献１に記載の画像読取装置の構成では、原稿を照明する照明光の光学系と、原稿からの反射光である読取光の光学系とを同一光学系としたために、使用中に塵や埃が光学部品に付着した場合に、照明光がその塵や埃で乱反射され、フレア光として、直接、レンズもしくは撮像素子に入射してしまい、読取画像の品質劣化を招くという問題がある。
【０００８】
本発明の目的は、前記従来の技術のような照明光と読取光との光学系が同一である構成の場合でも、ミラーなどの光学部品に付着した塵埃などの異物を検知し、かつ当該検知に基づき異物に係る適当な処理を可能にして、常に高品位の読み取りが行えるようにした画像読取装置、およびその画像読取装置を搭載した画像形成装置を提供することにある。
【課題を解決するための手段】
【０００９】
前記目的を達成するため、請求項１に記載の発明は、光源から出射する光束を複数に分割するレンズを備え、該レンズにより分割された前記複数の光束を、ミラーにて偏向しかつ読取対象物上で重畳して該読取対象物を照明し、該読取対象物からの反射光を前記ミラーを経て撮像素子に入射させて前記読取対象物の画像情報を読み取る画像読取装置であって、前記ミラー上の異物によって反射された光を前記撮像素子により検知し、該検知信号を受けた場合に処理信号を出力する制御部を備えたことを特徴とする。
【００１０】
請求項２に記載の発明は、請求項１記載の画像読取装置において、制御部により処理信号を警報ブザーへ出力し、警報させることを特徴とする。
【００１１】
請求項３に記載の発明は、請求項１記載の画像読取装置において、制御部により処理信号を表示部へ出力し、異常を示す文字あるいはマークを表示させることを特徴とする。
【００１２】
請求項４に記載の発明は、請求項１記載の画像読取装置において、制御部により処理信号を表示部へ出力し、修理を業者に依頼する旨のメッセージを表示させることを特徴とする。
【００１３】
請求項５に記載の発明は、請求項１記載の画像読取装置において、制御部により処理信号を通知部へ出力し、あらかじめ設定された業者に通知することを特徴とする。
【００１４】
請求項６に記載の発明は、請求項１記載の画像読取装置において、制御部により処理信号を駆動部へ出力し、機械の動作を停止させることを特徴とする。
【００１５】
請求項７に記載の発明は、請求項１記載の画像読取装置において、制御部により処理信号をメモリ部へ出力し、検知情報を格納させることを特徴とする。
【００１６】
請求項８に記載の発明は、請求項１記載の画像読取装置において、制御部により処理信号を電子メール処理部へ出力し、あらかじめ設定されたアドレスに警告メールを送信することを特徴とする。
【００１７】
請求項９に記載の発明は、請求項１〜８いずれか１項記載の画像読取装置において、あらかじめ設定された時刻に、撮像素子による異物検知を実行することを特徴とする。
【００１８】
請求項１０に記載の発明は、請求項１〜９いずれか１項記載の画像読取装置において、装置に電源が投入されたときに、撮像素子による異物検知を実行することを特徴とする。
【００１９】
請求項１１に記載の発明は、請求項１記載の画像読取装置において、撮像素子が所定の画像を読み込んだとき、制御部において、画像データの中にあらかじめ設定された閾値以上のデータがあった場合に異物ありとして、処理信号を出力することを特徴とする。
【００２０】
請求項１２に記載の発明は、請求項１１記載の画像読取装置において、閾値を変更する設定部を備えたことを特徴とする。
【００２１】
請求項１３に記載の発明は、原稿画像を読み取る画像読取部と、該画像読取部にて得られた画像情報に基づいて記録媒体に画像を形成する画像形成部とを具備した画像形成装置において、前記画像読取部として請求項１〜１２いずれか１項記載の画像読取装置を搭載したことを特徴とする。
【発明の効果】
【００２２】
本発明によれば、光路上の光学部品であるミラー上の異物によって反射された光を撮像素子により検知することにより、ミラー上の塵埃など有無を検知することができ、しかも、各種の手段によって異物が存在することを報知したり、適当な処理を行ったりすることにより、未然に異常画像の読み取りを防止することが可能になり、常に、高品位の画像読取，画像形成を行うことができる。
【発明を実施するための最良の形態】
【００２３】
以下、本発明の実施の形態を図面に基づいて説明する。
【００２４】
図１は本発明の実施形態を説明するための電子写真画像形成装置である複写機の概略構成図であり、装置本体内における感光体２１の周囲に、帯電チャージャ２２，露光部２３，トナー現像部２４，転写チャージャ２５，感光体クリーニング部２６が配設されている。
【００２５】
さらに、装置本体の上部には、原稿が載置されるコンタクトガラス１、該コンタクトガラス１上の原稿画像を読み取る画像読取部２８が設けられ、該画像読取部２８により光学的に読み取られた画像情報に基づき感光体２１を露光する。また、装置本体の下部には、用紙が積載される用紙収納カセット２９が設けられている。
【００２６】
前記用紙収納カセット２９から記録媒体である用紙は、ピックアップコロ３０にて給紙され、レジストローラ３１により、感光体１に現像されているトナー像の位置とタイミングを合わせて、転写チャージャ２５に搬送される。転写チャージャ２５によりトナー像が転写された用紙は、定着部３２に送られ、加熱，加圧を受けて像定着された後、排出ローラ３３により排紙トレイ３４に排出される。
【００２７】
図２は本実施形態における前記画像読取部の基本構成を示す概略構成図であって、図１０，図１１にて説明した部材に対応する部材には同一符号を付して詳しい説明は省略する。
【００２８】
図２において、画像形成部２８では撮像装置３５と照明装置３６とが一体化されており、撮像装置３５の基本構成は、図１１にて説明した構成と同様であって、結像レンズ９と１次元撮像素子１０からなる。また照明装置３６の基本構成は、後述するように統合レンズ３７，照明レンズ３８，集光レンズ３９、光源４０、回転放物面鏡４１などが、それぞれの光軸を同じくして配設されている。
【００２９】
図３（ａ）は前記照明装置の基本構成を示す平面図、図３（ｂ）は図３（ａ）の照明装置の正面図であり、光源４０としてＬＥＤ（発光ダイオード）４２を直線上に並べたものを用いている。各ＬＥＤ４２は透明樹脂で封入されて先端にレンズ部が形成され、ＬＥＤ４２から放射する光束を略平行光で出力するように形成されている。集光レンズ３９は、光源４０からの光束を主走査方向に分割し、照明レンズ３８に光束を全部透過させるために集光させるレンズであって、図４（ａ）に示すような形状のシリンダレンズアレイであり、図４（ｂ）のようにシリンダレンズを並べたものであって、図４（ｃ），（ｄ）に示すようなシリンダレンズを並べるようにしたものも採用することができる。各シリンダレンズの焦点距離ｆ１は図３中のｃの距離にとってある（すなわち、ｆ１＝ｃ）。
【００３０】
照明レンズ３８は、原稿Ｄの照明対象面を主走査方向に照射するためのレンズであり、集光レンズ３９と同様にシリンダレンズアレイで構成され、各シリンダレンズの焦点距離ｆ２は、図３を参照すれば、概略ｆ２＝１／（１／（ａ＋ｂ）＋１／ｃ）としてある（ｆ１＝ｆ２とすることは設計上可能であり、このようにすることにより、照明レンズ３８と集光レンズ３９とは同じ規格の部材として用いることができる）。
【００３１】
統合レンズ３７は、照明レンズ３８と集光レンズ３９とにより分割，照射された光束を原稿Ｄの照明対象面に重畳させるためのレンズであり、光軸を軸対称とした通常のレンズである。焦点距離をｆ０＝ａとすることにより照明レンズ３８と集光レンズ３９により分割された光束の光軸（副光軸と称する）を照明対象面の中心（主光軸）に合せることができ、分割された光束を照明対象面上に重畳することができる。なお、図３（ａ）では図が煩雑になるのを避けるため、シリンダアレイ中の各シリンダの内一つおきに光束を示すように図示を省略している。
【００３２】
照明レンズ３８により像の倍率等を説明する場合、本来ならば照明レンズ３８と統合レンズ３７の焦点距離ｆ２，ｆ０を合成するのであるが、ｆ２≪ｆ０であるので、説明を簡単にするために、ｂ＝０として統合レンズ３７のｆ０を無視して説明する。
【００３３】
ここで、シリンダレンズアレイである集光レンズ３９の各シリンダレンズの幅をｍ１とし、原稿Ｄの照射対象面の照射幅（主走査方向）をｍ０とすれば、ｍ０／ｍ１＝ａ／ｃとなる（実際は、この関係を決めてからｆ０，ｆ１を決める）。このように設定すると、集光レンズ３９の各シリンダのサイズｍ１の像が照明対象面上でｍ０の大きさに投影され、ｍ１を通過した光束は照明対象面に全て到達する。通常、各シリンダレンズからの個々の光束による照明では照度むらが大きくなるが、本例のように全体を重畳した結果、照度は平坦となる。
【００３４】
図４（ｅ）は、図２における回転放物面鏡４１の外観を示す斜視図であり、楕円面鏡も採用することができる。
【００３５】
次に、主走査方向と直角の方向（副走査方向）の照明装置における照明について図３（ｂ）を参照して説明する。光源４０における透明樹脂で封入されたＬＥＤ４２から出射する光束は、先端のレンズ部で略平行光束にされて出力される。集光レンズ３９と照明レンズ３８は、この平面側からみれば平行平板と同様の作用となるため、先に略平行となった光束は、ほとんど影響を受けずに平行光のまま通過する。統合レンズ３７の焦点距離ｆ０がｆ０＝ａとなっているため、光束は統合レンズ３７を通過して原稿Ｄの照明対象面に集光する。
【００３６】
図３に示す構成の照明装置を搭載した画像読取装置が図２に示すものであって、該画像読取装置における撮像装置３５と照明装置３６との構成を図５の平面図に示す。図５において、図２に示した光路中の偏向ミラー６と折返しミラー８ａ，８ｂは省略して示している。
【００３７】
図５において、撮像装置３５の両側に照明装置３６を配しており、統合レンズ３７は、レンズの中心部から外した部分をそれぞれ照明装置３６に対向させてレンズとして用いている。このようにすることにより、光源４０，集光レンズ３９，照明レンズ３８，統合レンズ３７からなる照明装置３６をユニットとしてまとめて結像レンズ９、すなわち撮像装置３５の両側に設置することができる。
【００３８】
図２に示すように、本画像読取装置では、副走査方向で見た光軸を、撮像装置３５の読取光軸と照明装置３６の照明光軸とを一致させているため、偏向ミラー６と折返しミラー８ａ，８ｂの反射面を照明用と読取用とにおいて共用している。これらのミラー６，８ａ，８ｂは鏡面が上向きに設置されているために、鏡面表面に塵埃Ｇが付着する可能性が高く、塵埃Ｇが一旦付着すると、照明光がその塵埃Ｇで乱反射され、フレア光Ｆとして結像レンズ９に直接入ってしまい、１次元撮像素子１０に原稿Ｄの画像光に重畳されて読み取られてしまうことになるため、１次元撮像素子１０にて得られた画像が白みがかってしまう、いわゆる黒浮き現象が生じる。
【００３９】
すなわち、前記のように鏡面で照明光を反射させると、一般には、ほとんどの光が正反射され、わずかな残りの光は吸収されるが、そこに塵埃Ｇが付着すると、その塵や埃により乱反射が生じ、あらゆる方向に反射光が散乱してしまう。既述したように偏向ミラー６や折返しミラー８ａ，８ｂなどに塵や埃が付着し、そこに照明光が当てられると、原稿Ｄの照明対象面の方向に反射する以外に散乱光が発生し、その光は照明装置から出た方向とは反対方向に平行に戻ってきてしまい、その一部分が結像レンズ９に入るとフレア光Ｆとなるのである。この現象は、ミラーがレンズに近いほど顕著になる傾向がある（照明装置に近いために、強い散乱光がフレアとなるため）。
【００４０】
そこで、本実施形態では、そのフレア光Ｆを検知して未然に異常画像を防止することができるようにしている。その具体的な構成例を図６に示す画像読取装置の実施形態にて説明する。
【００４１】
図６に示す実施形態において、原稿を載置するコンタクトガラス１の外側（原稿読取領域外）に、下面（光照射面）が黒色に塗装されたフレア検知用基準板４３が配置されており、フレア検知動作に入ったときに、第１走査体５がフレア検知用基準板４３の下面を読み取る位置に移動して、その表面画像を１次元撮像素子１０によって読み取る。
【００４２】
偏向ミラー６や折返しミラー８ａ，８ｂ上に塵や埃がない場合は、読取画像が全面黒くなるため、これにより異物なしと判断することができる。しかし、偏向ミラー６や折返しミラー８ａ，８ｂ上に塵埃などの異物Ｇがある場合には散乱光が生じ、１次元撮像素子１０において読取画像に灰色ないし白のデータが読み込まれ、さらに結像レンズ９に近いミラー上に塵埃があった場合に、より白いデータが取り込まれる。したがって、このデータ値とあらかじめ設定された閾値とを比較して、閾値よりも白かった場合に異物Ｇが原因するフレア光を検知したと認識することにより、異物ありと判断することができる。
【００４３】
前記認識／判断動作は、図７に示す制御処理系の概略構成を示すブロック図のように、画像形成装置あるいは画像読取部２８に搭載された制御部としてのＣＰＵ（中央演算処理ユニット）４５などの演算処理によって行われる。
【００４４】
図７において、ＣＰＵ４５は、第１走行体５などの各部の機械系を駆動する駆動部４６、あるいは各種の処理部４７を駆動する駆動部４８に処理信号を送りコントロールする。駆動部４６あるいは駆動部４８を介して機械系，各処理部４７に出力される処理信号は、１次元撮像素子１０あるいは各種センサ４９から出力された検知信号をＣＰＵ４５が受けて演算処理したものである。
【００４５】
図８は本実施形態における前記撮像素子による異物検知に係るフローチャートであり、ＣＰＵ４５は、画像読取装置の電源をＯＮしたとき、あるいは図示しない内部タイマによりあらかじめ設定された時刻になったときに（Ｓ１のＹＥＳ）、異物検知（フレア光検知）を実行させる。例えば、画像読取装置の電源をＯＮしたとき、初期設定動作の中にフレア光検知動作がプログラミングされているため、自動的に検知位置に第１走行体５が移動して検知動作を開始する（Ｓ２）。すなわち、既述したように、第１走査体５がフレア検知用基準板４３の下面を読み取る位置に移動して、その表面画像（反射光）を１次元撮像素子１０によって読み取る。該読取データの値とあらかじめ設定された閾値とを比較して、閾値よりも白かった場合に異物Ｇが原因するフレア光を検知したと認識する。
【００４６】
フレア光を検知（異物あり）した場合（Ｓ３のＹＥＳ）、ＣＰＵ４５などの内部メモリに異常に係る情報を記憶すると同時に、後述する処理部４７を動作させて（Ｓ４）、使用者などに報知したり、適当な処理を行ったりすることにより、未然に異常画像の読み取りを防止することが可能になる。このようにすることにより、常に、高品位の画像読取，画像形成が行われることになる。
【００４７】
図９（ａ）〜（ｇ）は本実施形態における前記処理部４７の具体例とＣＰＵ４５による動作制御を説明するためのフローチャートである。
【００４８】
図９（ａ）に示す例では、処理部４７として警告ブザーを使用しており、図８を参照して説明したように、反射光を検知し（Ｓ１１）、その検知データと閾値との比較により異物Ｇが原因するフレア光として認識された場合、光路中に異物が存在すると判断する（Ｓ１２）。この判断に基づき処理信号をブザー用の駆動部４８に出力し（Ｓ１３）、警報ブザーを作動させる（Ｓ１４）。
【００４９】
図９（ｂ）に示す例では、処理部４７としてＬＥＤ，ＬＣＤディスプレイなどからなる表示部を使用しており、前記と同様に、反射光を検知し（Ｓ２１）、閾値との比較により異物Ｇが原因するフレア光として認識された場合、光路中に異物が存在すると判断し（Ｓ２２）、処理信号を表示部用の駆動部４８に出力し（Ｓ２３）、異常を示すような文字あるいはマークなどを表示部にて表示させる（Ｓ２４）。
【００５０】
図９（ｃ）に示す例では、処理部４７としてＬＥＤ，ＬＣＤディスプレイなどからなる表示部を使用しており、前記と同様に、反射光を検知し（Ｓ３１）、閾値との比較により異物Ｇが原因するフレア光として認識された場合、光路中に異物が存在すると判断し（Ｓ３２）、処理信号を表示部用の駆動部４８に出力し（Ｓ３３）、修理を業者に依頼する旨のメッセージを表示部にて表示させる（Ｓ３４）。
【００５１】
図９（ｄ）に示す例では、処理部４７として自動音声電話機能，ファクシミリ（ＦＡＸ）機能を備えた通知部を使用しており、前記と同様に、反射光を検知し（Ｓ４１）、閾値との比較により異物Ｇが原因するフレア光として認識された場合、光路中に異物が存在すると判断し（Ｓ４２）、処理信号を通知部用の駆動部４８に出力し（Ｓ４３）、通知部にあらかじめ設定された業者に自動的に通知させる（Ｓ４４）。
【００５２】
図９（ｅ）に示す例では、処理部は走行体などの機械系であって、前記と同様に、反射光を検知し（Ｓ５１）、閾値との比較により異物Ｇが原因するフレア光として認識された場合、光路中に異物が存在すると判断し（Ｓ５２）、処理信号を通知部用の駆動部４６に出力し（Ｓ５３）、装置の機械系の動作を適宜停止させる（Ｓ５４）。
【００５３】
図９（ｆ）に示す例では、処理部４７としてデータ記憶メモリ部を使用しており、前記と同様に、反射光を検知し（Ｓ６１）、閾値との比較により異物Ｇが原因するフレア光として認識された場合、光路中に異物が存在すると判断し（Ｓ６２）、処理信号を通知部用の駆動部４７に出力し（Ｓ６３）、検知情報をメモリ部に格納させる（Ｓ６４）。このメモリ部からの情報を、保守管理の作業時に読み出して処理するようにする。
【００５４】
図９（ｇ）に示す例では、処理部４７として電子メール処理部を使用しており、前記と同様に、反射光を検知し（Ｓ７１）、閾値との比較により異物Ｇが原因するフレア光として認識された場合、光路中に異物が存在すると判断し（Ｓ７２）、処理信号を通知部用の駆動部４７に出力し（Ｓ７３）、電子メール処理部にあらかじめ設定された作業担当者あるいは管理業者宛に自動的に電子メールを送信させる（Ｓ７４）。
【００５５】
図８，図９（ａ）〜（ｇ）の処理あるいは処理フローについては、１つのみならず複数の処理を適宜組合わせて実行することが考えられる。
【００５６】
すなわち、主電源投入時にフレア光検知動作を実行し、前記のようにフレア光を検知したと認識した場合に、内部メモリに異常があったことを記憶すると同時に、直ちに警告ブザーを発し、表示部上にミラーに汚れ・ゴミの付着がある旨の警告メッセージを表示させたり、あるいは、タイマによりあらかじめ設定された時刻になると、フレア光検知動作が実行され、自動的に検知位置に第１走行体５が移動して検知動作を開始し、フレア光を検知したと認識した場合に、機械動作を停止させると同時に、直ちに表示部にサービスマンを呼ぶ旨の警告メッセージを表示させたりすることが考えられる。
【００５７】
なお、前記閾値は画像形成装置などに設けられている操作表示パネル（図示せず）など設定部から変更することができるようにする。これによって、僅かなゴミであっても検知可能にしたり、あるいは検知精度を粗くして、画像読取，画像形成に支障のない程度のゴミでは、それを検知しても異物検知動作および処理動作を行わないように設定することができる。
【産業上の利用可能性】
【００５８】
本発明は、デジタル複写機などに搭載され、固体撮像素子，結像レンズ，照明装置を搭載した縮小光学系の画像読取装置、あるいはフィルムスキャナ，ブック原稿用スキャナなどの各種スキャナの読取部に適用され、特に、照明光と読取光との光学系が同一である構成のものに実施して有効である。
【図面の簡単な説明】
【００５９】
【図１】本発明の実施形態を説明するための電子写真画像形成装置である複写機の概略構成図
【図２】本実施形態における前記画像読取部の基本構成を示す概略構成図
【図３】（ａ）は図２の照明装置の基本構成を示す平面図、（ｂ）は（ａ）の照明装置の正面図
【図４】（ａ）〜（ｅ）は本実施形態における光学部品を示す斜視図
【図５】本実施形態の画像読取装置における撮像装置と照明装置との構成を示す平面図
【図６】本実施形態のフレア検知用基準版に係る構成を示す正面図
【図７】本実施形態における認識／判断動作を実行する制御処理系の概略構成を示すブロック図
【図８】本実施形態における撮像素子による異物検知に係るフローチャート
【図９】（ａ）〜（ｇ）は本実施形態における処理部の具体例とＣＰＵによる動作制御を説明するためのフローチャート
【図１０】従来の画像読取装置全体の概略構成を示す斜視図
【図１１】従来の画像読取装置の要部を示す正面図
【符号の説明】
【００６０】
５  第１走行体
６  偏向ミラー
７  第２走行体
８ａ，８ｂ  折返しミラー
９  結像レンズ
１０  １次元撮像素子
２１  感光体
２８  画像読取部
３５  撮像装置
３６  照明装置
３７  統合レンズ
３８  照明レンズ
３９  集光レンズ
４０  光源
４１  回転放物面鏡
４２  ＬＥＤ（発光ダイオード）
４３  フレア検知用基準板
４４  開放部
４５  ＣＰＵ
４６，４８  駆動部
４７  処理部
【図１】
2007336240.tif 000003
【図２】
2007336240.tif 000004
【図３】
2007336240.tif 000005
【図４】
2007336240.tif 000006
【図５】
2007336240.tif 000007
【図６】
2007336240.tif 000008
【図７】
2007336240.tif 000009
【図８】
2007336240.tif 000010
【図９】
2007336240.tif 000011
【図１０】
2007336240.tif 000012
【図１１】
2007336240.tif 000013